(57)【要約】【課題】曲面状の液晶表示装置において、輝度のばらつきを抑制する。【解決手段】複数の画素がマトリクス状に設けられ、一方向に湾曲した液晶表示パネル２０ａと、液晶表示パネル２０ａに対向するように一方向に湾曲したエッジライト方式のバックライト１０ａとを備えた液晶表示装置３０ａであって、バックライト１０ａは、各画素に対応する領域毎に光源からの光が出射面の法線方向に出射するための出射角調整部を有し、液晶表示パネル２０ａの周方向に沿った断面が形成する円弧の中心角は、バックライト１０ａの周面上の測定点における出射光の輝度を所要角度に亘って予め測定した輝度分布に基づいて、出射光の輝度が所定範囲に入る角度範囲の１／２以下に設定されている。【選択図】図１
2008292540.tif 000002
【特許請求の範囲】
【請求項１】
複数の画素がマトリクス状に設けられ、一方向に湾曲した液晶表示パネルと、
上記液晶表示パネルに対向するように一方向に湾曲した導光板、及び該導光板の非湾曲方向に沿って設けられた線状の光源を有するエッジライト方式のバックライトとを備えた液晶表示装置であって、
上記バックライトは、上記各画素に対応する領域毎に上記光源からの光を上記導光板を介して出射面の法線方向に出射させるための出射角調整部を有し、
上記液晶表示パネルの周方向に沿った断面が形成する円弧の中心角は、上記バックライトの周面上の測定点における出射光の輝度を該バックライトの周方向に沿って所要角度に亘って予め測定した輝度分布に基づいて、該出射光の輝度が所定範囲に入る角度範囲の１／２以下に設定されていることを特徴とする液晶表示装置。
【請求項２】
請求項１に記載された液晶表示装置において、
上記出射角調整部は、上記導光板の上記液晶表示パネルと反対側の面において該導光板の周方向と交差する方向に互いに平行に延びるように複数の断面Ｖ字状の溝が形成された第１プリズムと、上記導光板及び液晶表示パネルの間に挟持され、該導光板側の面において該導光板側の周方向と交差する方向に互いに平行に延びるように断面Ｖ字状の複数の溝が形成された第２プリズムとを備えていることを特徴とする液晶表示装置。
【請求項３】
請求項２に記載された液晶表示装置において、
上記第１プリズムにおける溝の間隔は、上記光源から離れるにつれて小さくなっていることを特徴とする液晶表示装置。
【請求項４】
請求項１に記載された液晶表示装置において、
上記出射角調整部は、上記導光板の上記液晶表示パネルと反対側の面において該導光板の周方向と交差する方向に互いに平行に延びるように複数の断面Ｖ字状の溝が形成されたプリズムと、上記導光板及び液晶表示パネルの間に該導光板側から順に挟持され、該導光板からの光を拡散するための拡散板、該拡散板からの光を一方向に揃えるための第１レンズシート、及び該第１レンズシートからの光を該一方向と交差する方向に揃えるための第２レンズシートとを備えていることを特徴とする液晶表示装置。
【請求項５】
請求項４に記載された液晶表示装置において、
上記プリズムにおける溝の間隔は、上記光源から離れるにつれて小さくなっていることを特徴とする液晶表示装置。
【請求項６】
請求項１に記載された液晶表示装置において、
上記所定範囲は、上記測定点の法線方向における出射光の輝度の８４％以上且つ１００％以下であることを特徴とする液晶表示装置。
【請求項７】
請求項１に記載された液晶表示装置において、
上記所定範囲は、上記測定点の法線方向における出射光の輝度の９１％以上且つ１００％以下であることを特徴とする液晶表示装置。
【発明の詳細な説明】
【技術分野】
【０００１】
本発明は、液晶表示装置に関し、特に、曲面状の液晶表示装置に関するものである。
【背景技術】
【０００２】
液晶表示装置は、例えば、互いに対向して配置されたアクティブマトリクス基板及び対向基板、並びにそれらの両基板の間に設けられた液晶層を備えた液晶表示パネルと、液晶表示パネルに面状の光を供給するためのバックライトとを有している。
【０００３】
図１３は、一般的なバックライト１１０ａの断面図である。
【０００４】
バックライト１１０ａは、図１０に示すように、線状の光源１０１と、光源１０１の側方に設けられた導光板１０２と、導光板１０２の下面側に設けられた反射シート１０３と、反射シート１０３の下面側に設けられた金属フレーム１０４と、導光板１０２の上面側に設けられた拡散シート１０５と、拡散シート１０５の上面側に設けられた一対のレンズシート１０６及び１０７とを備えている。そして、バックライト１１０ａは、光源１０１からの光Ｌが、導光板１０２内を全反射を繰り返しながら伝搬する間に臨界角を超えることにより導光板１０２の上面からその上面に対して斜め方向に出射した後に、一対のレンズシート１０６及び１０７により、導光板１０２の上面（出射面）に対して垂直方向に出射するように構成されている。
【０００５】
例えば、特許文献１には、液晶表示パネル中央直下に配置された線状光源の直射光と、この線状光源の下に配置された放物線形の反射板から出る反射光とをフレネルレンズで２回屈折させることにより、光を液晶表示パネルの有効視野角方向に曲げて均一化する表示装置が開示されている。
【０００６】
また、特許文献２には、透明なフィルムに微小な円柱レンズ状曲面又は楕円体レンズ状曲面をフィルム面内の一定方向に並べて配設してなる光配向制御素子を用いることにより、実際の表示輝度を向上させるバックライトが開示されている。
【特許文献１】特開平５−６１０４３号公報
【特許文献２】特開平６−７５２２０号公報
【発明の開示】
【発明が解決しようとする課題】
【０００７】
ところで、曲面状の液晶表示装置を構成するために、平板状の液晶表示パネル及びバックライト（１１０ａ、図１３参照）を単に湾曲状に変形させた場合には、図１４に示すように、バックライト１１０ｂからの光Ｌが、湾曲したレンズシート１０６及び１０７を介して液晶表示パネル（不図示）に対して斜め方向に供給され易いので、そのバックライト１１０ｂ及び液晶表示パネルを備えた液晶表示装置では、湾曲状の表示面の周方向に沿った断面に沿って斜めから見たときの輝度が位置によってばらついてしまうおそれがある。
【０００８】
本発明は、かかる点に鑑みてなされたものであり、その目的とするところは、曲面状の液晶表示装置において、輝度のばらつきを抑制して、表示品位を向上させることにある。
【課題を解決するための手段】
【０００９】
上記目的を達成するために、本発明は、バックライトが各画素に対応する領域毎に光源からの光が出射面の法線方向に出射するための出射角調整部を有すると共に、液晶表示パネルの周方向に沿った断面が形成する円弧の中心角を、バックライトの周面上の測定点における出射光の輝度を所要角度に亘って予め測定した輝度分布に基づいて出射光の輝度が所定範囲に入る角度範囲の１／２以下に設定するようにしたものである。
【００１０】
具体的に本発明に係る液晶表示装置は、複数の画素がマトリクス状に設けられ、一方向に湾曲した液晶表示パネルと、上記液晶表示パネルに対向するように一方向に湾曲した導光板、及び該導光板の非湾曲方向に沿って設けられた線状の光源を有するエッジライト方式のバックライトとを備えた液晶表示装置であって、上記バックライトは、上記各画素に対応する領域毎に上記光源からの光を上記導光板を介して出射面の法線方向に出射させるための出射角調整部を有し、上記液晶表示パネルの周方向に沿った断面が形成する円弧の中心角は、上記バックライトの周面上の測定点における出射光の輝度を該バックライトの周方向に沿って所要角度に亘って予め測定した輝度分布に基づいて、該出射光の輝度が所定範囲に入る角度範囲の１／２以下に設定されていることを特徴とする。
【００１１】
上記の構成によれば、一方向に湾曲したエッジライト方式のバックライトでは、出射角調整部により、液晶表示パネルの各画素に対応する領域毎に光源からの光が導光板を介して出射面の法線方向に出射するので、そのバックライトから一方向に湾曲した液晶表示パネルには、出射方向が制御された放射状の面状光が供給されることになる。また、一方向に湾曲した液晶表示パネルの中心角は、バックライトの周面上の測定点における出射光の輝度を所要角度に亘って予め測定した輝度分布に基づいて、出射光の輝度が所定範囲に入る角度範囲の１／２以下に設定されているので、一方向に湾曲した液晶表示パネルには、バックライトからの出射光のうち、輝度が所定範囲に入るもののみが供給されることになる。これにより、曲面状の液晶表示装置において、一方向に湾曲したバックライトから一方向に湾曲した液晶表示パネルに対して、出射方向が制御され、且つ輝度のばらつきが抑制された面状光が供給されるので、液晶表示装置を周方向に沿った断面に沿って斜めから見たときの輝度の位置によるばらつきが抑制される。したがって、曲面状の液晶表示装置において、輝度のばらつきを抑制して、表示品位を向上させることが可能になる。
【００１２】
上記出射角調整部は、上記導光板の上記液晶表示パネルと反対側の面において該導光板の周方向と交差する方向に互いに平行に延びるように複数の断面Ｖ字状の溝が形成された第１プリズムと、上記導光板及び液晶表示パネルの間に挟持され、該導光板側の面において該導光板側の周方向と交差する方向に互いに平行に延びるように断面Ｖ字状の複数の溝が形成された第２プリズムとを備えていてもよい。
【００１３】
上記の構成によれば、導光板の底面に設けられた第１プリズムの各溝、並びに導光板及び液晶表示パネルの間に挟持された第２プリズムの各溝により、液晶表示パネルの各画素に対応する領域毎に光源からの光が導光板を介して出射面の法線方向に出射されるので、本発明の作用効果が具体的に奏される。
【００１４】
上記第１プリズムにおける溝の間隔は、上記光源から離れるにつれて小さくなっていてもよい。
【００１５】
上記の構成によれば、導光板の底面において、光源からの光を反射させるための溝が光源から離れるにつれて多く形成されているので、光源からの光が弱くなるバックライトの光源から離れた箇所において、光源からの光を多く反射させることが可能になり、バックライトの出射光の輝度をその周方向に沿って均一にすることが可能になる。
【００１６】
上記出射角調整部は、上記導光板の上記液晶表示パネルと反対側の面において該導光板の周方向と交差する方向に互いに平行に延びるように複数の断面Ｖ字状の溝が形成されたプリズムと、上記導光板及び液晶表示パネルの間に該導光板側から順に挟持され、該導光板からの光を拡散するための拡散板、該拡散板からの光を一方向に揃えるための第１レンズシート、及び該第１レンズシートからの光を該一方向と交差する方向に揃えるための第２レンズシートとを備えていてもよい。
【００１７】
上記の構成によれば、導光板の底面に設けられたプリズムの各溝、並びに導光板及び液晶表示パネルの間に設けられた拡散板、第１レンズシート及び第２レンズシートにより、液晶表示パネルの各画素に対応する領域毎に光源からの光が導光板を介して出射面の法線方向に出射されるので、本発明の作用効果が具体的に奏される。
【００１８】
上記プリズムにおける溝の間隔は、上記光源から離れるにつれて小さくなっていてもよい。
【００１９】
上記の構成によれば、導光板の底面において、光源からの光を反射させるための溝が光源から離れるにつれて多く形成されているので、光源からの光が弱くなるバックライトの光源から離れた箇所において、光源からの光を多く反射させることが可能になり、バックライトの出射光の輝度をその周方向に沿って均一にすることが可能になる。
【００２０】
上記所定範囲は、上記測定点の法線方向における出射光の輝度の８４％以上且つ１００％以下であってもよい。
【００２１】
上記の構成によれば、曲面状の液晶表示装置における面内の輝度ばらつきが２０％以下となり、輝度ばらつきの許容範囲が一般的に広いアミューズメント用途の液晶表示装置において、本発明の作用効果が有効に奏される。
【００２２】
上記所定範囲は、上記測定点の法線方向における出射光の輝度の９１％以上且つ１００％以下であってもよい。
【００２３】
上記の構成によれば、曲面状の液晶表示装置における面内の輝度ばらつきが１０％以下となり、輝度ばらつきの許容範囲が一般的に狭い携帯電話用途の液晶表示装置において、本発明の作用効果が有効に奏される。
【発明の効果】
【００２４】
本発明によれば、バックライトが各画素に対応する領域毎に光源からの光を出射面の法線方向に出射させるための出射角調整部を有し、液晶表示パネルの周方向に沿った断面が形成する円弧の中心角が、バックライトの周面上の測定点における出射光の輝度を所要角度に亘って予め測定した輝度分布に基づいて出射光の輝度が所定範囲に入る角度範囲の１／２以下に設定されているので、曲面状の液晶表示装置において、輝度のばらつきを抑制して、表示品位を向上させることができる。
【発明を実施するための最良の形態】
【００２５】
以下、本発明の実施形態を図面に基づいて詳細に説明する。なお、本発明は、以下の各実施形態に限定されるものではない。
【００２６】
《発明の実施形態１》
図１〜図８は、本発明に係る液晶表示装置の実施形態１を示している。
【００２７】
図１は、本実施形態の液晶表示装置３０ａの断面図である。また、図２は、液晶表示装置３０ａを構成する液晶表示パネル２０ａの各画素を示す平面図であり、図３は、液晶表示パネル２０ａの断面図である。さらに、図４は、液晶表示装置３０ａを構成するバックライト１０ａの断面図である。
【００２８】
液晶表示装置３０ａは、図１に示すように、一方向に湾曲した液晶表示パネル２０ａと、液晶表示パネル２０ａに対向するように一方向に湾曲したエッジライト方式のバックライト１０ａとを備えている。
【００２９】
液晶表示パネル２０ａは、図１及び図３に示すように、互いに対向して配置された第１基板２１ａ及び第２基板２２ａと、両基板２１ａ及び２２ａの間に設けられた液晶層２４と、両基板２１ａ及び２２ａの間に液晶層２４を囲むように設けられたシール材２３とを備えている。
【００３０】
第１基板２１ａの液晶層２４と反対側の面には、位相差板２５ａ及び偏光板２６ａが順に設けられている。
【００３１】
第２基板２２ａの液晶層２４と反対側の面には、位相差板２５ｂ及び偏光板２６ｂが順に設けられている。
【００３２】
第１基板２１ａは、図３に示すように、第２基板２２ａよりも突出しており、その突出部分には、ＩＣ（integrated circuit）チップ２７、及びＦＰＣ（flexible printed circuit）２８などが設けられている。
【００３３】
第１基板２１ａには、互いに平行に延びるように複数の第１透明電極（不図示）が設けられている。また、第２基板２２ａには、上記各第１透明電極と直交する方向に互いに平行に延びるように複数の第２透明電極（不図示）が設けられている。
【００３４】
ここで、液晶表示パネル２０ａでは、上記複数の第１透明電極及び複数の第２透明電極の各交差部分毎に画像の最小単位である画素が構成され、図２に示すように、各画素ＥＲ、ＥＧ及びＥＢがマトリクス状に配置されている。また、図２では、画素ＥＲが赤色の表示を行う画素であり、画素ＥＧが緑色の表示を行う画素であり、画素ＥＢは、青色の表示を行う画素である。例えば、パネル外形が１．８インチで、横１２８×３（ＲＧＢ）ドット、及び縦１６０ドットの場合に、各画素ＥＲ、ＥＧ及びＥＢの大きさは、図２に示すように、Ｗａ＝０．０６０ｍｍ、Ｗｂ＝０．０１５ｍｍ、Ｗｃ＝０．２００ｍｍ及びＷｄ＝０．０１５ｍｍである。
【００３５】
第２基板２２ａは、各画素ＥＲ、ＥＧ及びＥＢに、赤色層、緑色層及び青色層がそれぞれ設けられたカラーフィルターと、各着色層（赤色層、緑色層及び青色層）の間に設けられたブラックマトリクスとを備えている。
【００３６】
上記構成の液晶表示パネル２０ａは、画像表示の際に、各第１透明電極及び各第２透明電極に時系列的に所定の電圧をかけていくと、ある時点で選択された第１透明電極及び第２透明電極の交差部分の画素における液晶層２４に電圧が印加され、液晶層２４を構成する液晶分子の配向状態が変化する。そして、液晶表示パネル２０ａでは、液晶層２４の印加電圧の大きさに応じて液晶分子の配向状態が変わることを利用して、バックライト１０ａからの光の透過率を調整することにより、画像が表示される。
【００３７】
バックライト１０ａは、図４に示すように、一方向に湾曲した導光板２と、導光板２の湾曲していない辺に沿って設けられた線状の光源１と、導光板２の下面（底面）側に設けられた反射シート３と、導光板２の上面側に設けられた第２プリズムＰｂとを備えている。
【００３８】
また、バックライト１０ａは、光源１からの光Ｌが、湾曲状の導光板２内を全反射を繰り返しながら伝搬する間に臨界角を超えることにより導光板２の上面からその上面に対して斜め方向に出射した後に、後述する第２プリズムＰｂにより、その出射面に対して法線方向に出射するように構成されている。
【００３９】
光源１は、例えば、ＬＥＤ（light-emitting diode）、冷陰極蛍光管、熱陰極蛍光管などである。
【００４０】
導光板２は、例えば、透明なアクリル樹脂などにより構成されている。また、導光板２の下面には、その周方向に直交する方向に互いに平行に延びる複数の溝Ｃが形成されている。ここで、各溝Ｃは、図４に示すように、その横断面がＶ字状であり、その間隔が光源から離れるにつれて小さくなっている。また、導光板２の各溝Ｃが形成された下面は、光源１からの光Ｌを反射させるための第１プリズムＰａになっている。
【００４１】
反射シート３は、例えば、白色のＰＥＴ（polyethylene terephthalate）フィルムなどにより構成されている。
【００４２】
第２プリズムＰｂは、例えば、図４に示すように、各々、逆三角形の横断面を有する複数の三角柱が導光板２の周方向に沿って互いに平行に並んで配置されるなどして構成されている。ここで、第２プリズムＰｂでは、図４に示すように、隣り合った一対の三角柱の各側面によって、断面Ｖ字状の溝Ｃが構成されている。
【００４３】
第１プリズムＰａ及び第２プリズムＰｂは、例えば、液晶表示パネル２０ａの各画素ＥＲ、ＥＧ及びＥＢに重畳する領域毎に、光源１からの光Ｌを出射面の法線方向に出射させるための出射角調整部Ｔを構成している。ここで、第１プリズムＰａは、各溝Ｃの斜面によって、光源１からの光Ｌが全反射するように構成されている。また、第２プリズムＰｂは、各溝Ｃの斜面によって、光源１からの光Ｌが反射及び屈折するように構成されている。
【００４４】
次に、液晶表示パネル２０ａの湾曲具合を設定する方法について説明する。
【００４５】
まず、所定の曲率半径を有する湾曲したバックライト１０ａについて、出射光の輝度分布を測定する。ここで、図５は、バックライト１０ａの出射光分布を測定する方法を示す模式図である。
【００４６】
具体的には、図５に示すように、バックライト１０ａの周面における中心線Ｘ上の測定点Ｍの上方に輝度計４０（例えば、ＥＬＤＩＭ社製のＥＺＣｏｎｔｒａｓｔ１６０Ｄ、測定径：１ｍｍ）を設置した後に、バックライト１０ａを点灯させ、輝度計４０を周方向（Ｘ方向）に沿って（測定点Ｍを中心に）所要角度移動させながら、測定点Ｍにおける輝度を測定する。
【００４７】
図６は、バックライト１０ａの出射光分布の測定結果を模式的に示すグラフである。ここで、図６では、横軸が測定点Ｍの法線方向に対する角度θを示し、縦軸が輝度Ｂを示している。
【００４８】
バックライト１０ａでは、図６に示すように、正面（θ＝０°）の輝度が最大である。そして、その正面輝度に対してα％以上の輝度ばらつきを許容する場合には、図６に示すように、その許容される角度範囲は、Ａとなる。そのため、液晶表示パネル２０ａの周方向に沿った断面が形成する円弧の中心角Ｚ（図３参照）は、Ａの１／２以下となる。これにより、液晶表示パネル２０ａには、バックライト１０ａからの出射光のうち、輝度が所定範囲（正面輝度に対してα％以上）に入るもののみが供給されることになる。
【００４９】
ここで、液晶表示パネル２０ａは、例えば、厚さ５０μｍ程度のプラスチック基板を用いて、ロールツーロール方式により、第１基板２１ａ及び第２基板２２ａをそれぞれ作製した後に、それらの作製された第１基板２１ａ及び第２基板２２ａを、シール材２３、及び液晶層２４を介して貼り合わせ、シール材２３を硬化させる際に湾曲状に成形することにより製造することができる。なお、第１基板２１ａ及び第２基板２２ａは、上記プラスチック基板を用いるだけでなく、ガラス基板を用いて作製した後に、各ガラス基板を厚さ１００μｍ程度に薄肉化してもよい。
【００５０】
また、バックライト１０ａは、平板状の導光板を湾曲状に熱加工したり、予め湾曲状に成形したりして、導光板２を作製した後に、光源１、反射シート３及び第２プリズムＰｂを配置することにより製造することができる。
【００５１】
さらに、液晶表示装置３０ａは、ＩＣチップ２７やＦＰＣ２８を取り付けた液晶表示パネル２０ａ、及びバックライト１０ａを金属製のベゼルやシャーシに固定するなどして、モジュール化することにより、製造することができる。
【００５２】
次に、具体的に行った実験について説明する。
【００５３】
本実施例では、画面サイズが２．２インチの液晶表示装置３０ａについて説明する。なお、図３において、第２基板２２ａの周方向に沿った長さであるパネル長さＹは、５６．１ｍｍとなる。
【００５４】
図７は、図６に対応するバックライト１０ａの具体的な出射光分布を示すグラフである。
【００５５】
ここで、バックライト１０ａの曲率半径は、４００ｍｍである。
【００５６】
液晶表示装置３０ａにおける面内の輝度ばらつきを１０％以下とする場合（携帯電話用途）には、１００（％）／１１０（％）×１００＝９０．９（％）により正面輝度の９１％以上とすればよい。そして、出射光の輝度が正面輝度の９１％以上になる角度範囲Ａａは、図７の出射光分布のグラフから数値を読み取ることにより、±９．５°（＝１９°）となる。このとき、液晶表示パネル２０ａの周方向に沿った断面が形成する円弧の中心角Ｚは、Ａａの１／２の９．５°以下になる。そして、液晶表示パネル２０ａの曲率半径Ｒは、１８０Ｌ／（πＺ）により、３３８．３ｍｍ以上となる（図８参照）。
【００５７】
また、液晶表示装置３０ａにおける面内の輝度ばらつきを２０％以下とする場合（アミューズメント用途）には、１００（％）／１２０（％）×１００＝８３．３（％）により正面輝度の８４％以上とすればよい。そして、出射光の輝度が正面輝度の８４％以上になる角度範囲Ａｂは、図７の出射光分布のグラフから数値を読み取ることにより、±１４°（＝２８°）となる。このとき、液晶表示パネル２０ａの周方向に沿った断面が形成する円弧の中心角Ｚは、Ａａの１／２の１４°以下となる。そして、液晶表示パネル２０ａの曲率半径Ｒは、１８０×Ｌ／（πＺ）により、２２９．６ｍｍ以上となる（図８参照）。
【００５８】
以上のようにして、曲面状の液晶表示装置３０ａにおいて、許容される輝度ばらつきの範囲に応じて、液晶表示パネル２０ａの円弧の中心角Ｚ及び曲率半径Ｒを設定することができる。
【００５９】
以上説明したように、本実施形態の液晶表示装置３０ａによれば、一方向に湾曲したエッジライト方式のバックライト１０ａでは、導光板２の底面に設けられた第１プリズムＰａの各溝Ｃ、並びに導光板２及び液晶表示パネル２０ａの間に挟持された第２プリズムＰｂの各溝Ｃからなる出射角調整部Ｔにより、液晶表示パネル２０ａの各画素ＥＲ、ＥＧ及びＥＢに重畳する領域毎に光源１からの光Ｌが導光板２を介して出射面の法線方向に出射するので、そのバックライト１０ａから一方向に湾曲した液晶表示パネル２０ａには、出射方向が制御された放射状の面状光が供給されることになる。また、一方向に湾曲した液晶表示パネル２０ａの中心角Ｚは、バックライト１０ａの周面上の測定点Ｍにおける出射光の輝度を所要角度に亘って予め測定した輝度分布に基づいて、出射光の輝度が所定範囲に入る角度範囲Ａ（Ａａ及びＡｂ）の１／２以下に設定されているので、一方向に湾曲した液晶表示パネル２０ａには、バックライト１０ａからの出射光のうち、輝度が所定範囲に入るもののみが供給されることになる。これにより、曲面状の液晶表示装置３０ａにおいて、一方向に湾曲したバックライト１０ａから一方向に湾曲した液晶表示パネル２０ａに対して、出射方向が制御され、且つ輝度のばらつきが抑制された面状光が供給されるので、液晶表示装置３０ａを周方向に沿った断面に沿って斜めから見たときの輝度の位置によるばらつきを抑制することができる。したがって、曲面状の液晶表示装置３０ａにおいて、輝度のばらつきを抑制して、表示品位を向上させることができる。
【００６０】
また、本実施形態の液晶表示装置３０ａによれば、第１プリズムＰａにおける溝Ｃの間隔が光源１から離れるにつれて小さくなっているので、導光板２の下面において、光源１からの光を反射させるための溝Ｃが光源１から離れるにつれて多く形成されている。そのため、光源１からの光が弱くなるバックライト１０ａの光源１から離れた箇所において、光源１からの光を多く反射させることができるので、バックライト１０ａの出射光の輝度をその周方向に沿って均一にすることができる。
【００６１】
《発明の実施形態２》
図９は、本実施形態の液晶表示装置を構成するバックライト１０ｂの断面図である。なお、以下の各実施形態において、図１〜図８と同じ部分については同じ符号を付して、その詳細な説明を省略する。
【００６２】
上記実施形態１では、出射角調整部Ｔが第１プリズムＰａ及び第２プリズムＰｂを備えていたが、本実施形態では、図９に示すように、出射角調整部Ｔが第１プリズムＰａに対応するプリズムＰ、導光板２からの光を拡散するための拡散板５、拡散板５からの光を例えば導光板２の周方向に揃えるための第１レンズシート６、及び第１レンズシート６からの光を例えば導光板２の周方向に直交する方向に揃えるための第２レンズシート７を備えている。
【００６３】
第１レンズシート６としては、例えば、スリーエム製のＢＥＦ(Brightness Enhancement Film）が好適に用いられる。また、第２レンズシート７としては、例えば、スリーエム製のＢＥＦ-ＲＰ(Brightness Enhancement Film - Reflective Polarizer）が好適に用いられる。
【００６４】
本実施形態のバックライト１０ｂを備えた液晶表示装置によれば、導光板２の底面に設けられたプリズムＰ、拡散板５、第１レンズシート６及び第２レンズシート７からなる出射角調整部Ｔにより、液晶表示パネルの各画素ＥＲ、ＥＧ及びＥＢに重畳する領域毎に光源１からの光Ｌが導光板２を介して出射面の法線方向に出射するので、上記実施形態１と同様に、曲面状の液晶表示装置において、輝度のばらつきを抑制して、表示品位を向上させることができる。
【００６５】
《発明の実施形態３》
図１０は、本実施形態の液晶表示装置３０ｂの断面図である。そして、図１１は、液晶表示装置３０ｂを構成するバックライト１０ｃの出射光分布を測定する方法を示す模式図である。
【００６６】
上記各実施形態では、液晶表示装置（３０ａ）が上方に凸状に湾曲していたが、本実施形態では、図１０に示すように、液晶表示パネル２０ｂを構成する第１基板２１ｂ及び第２基板２２ｂ、並びにバックライト１０ｃがそれぞれ上方に凹状に湾曲して、液晶表示装置３０ｂが上方に凹状に湾曲している。この液晶表示装置３０ｂは、湾曲の方向以外、上記実施形態１の液晶表示装置３０ａと同じであるので、その詳細な説明を省略する。なお、バックライト１０ｂの出射光分布を測定する方法は、図１１に示すように、図５で説明したバックライトの形状が表裏反転しているだけで、上記実施形態１と同様にすればよい。
【００６７】
《発明の実施形態４》
図１２は、本実施形態の液晶表示装置を構成する液晶表示パネル２０ｃの断面図である。
【００６８】
上記各実施形態では、パッシブマトリクス駆動方式の液晶表示パネルについて説明したが、本発明は、アクティブマトリクス駆動方式の液晶表示パネルにも適用することができる。なお、図１２に示す液晶表示パネル２０ｃでは、第１基板２１ｃがいわゆるアクティブマトリクス基板であり、第２基板２１ｃがいわゆる対向基板である。
【産業上の利用可能性】
【００６９】
以上説明したように、本発明は、曲面状の表示であっても輝度のばらつきが抑制されるので、曲面状の液晶表示装置について有用である。
【図面の簡単な説明】
【００７０】
【図１】実施形態１に係る液晶表示装置３０ａの断面図である。
【図２】液晶表示装置３０ａを構成する液晶表示パネル２０ａの画素を示す平面図である。
【図３】液晶表示装置３０ａを構成する液晶表示パネル２０ａの断面図である。
【図４】液晶表示装置３０ａを構成するバックライト１０ａの断面図である。
【図５】バックライト１０ａの出射光分布を測定する方法を示す模式図である。
【図６】バックライト１０ａの出射光分布の測定結果を模式的に示すグラフである。
【図７】バックライトの具体的な出射光分布を示すグラフである。
【図８】液晶表示パネルの曲率半径及び中心角の関係を示すグラフである。
【図９】実施形態２に係る液晶表示装置を構成するバックライト１０ｂの断面図である。
【図１０】実施形態３に係る液晶表示装置３０ｂの断面図である。
【図１１】液晶表示装置３０ｂを構成するバックライト１０ｃの出射光分布を測定する方法を示す模式図である。
【図１２】実施形態４に係る液晶表示装置を構成する液晶表示パネル２０ｃの断面図である。
【図１３】一般的なバックライト１１０ａの断面図である。
【図１４】従来の曲面状の液晶表示装置を構成するバックライト１１０ｂの断面図である。
【符号の説明】
【００７１】
Ｃ      溝
ＥＲ，ＥＧ，ＥＢ    画素
Ｐ      プリズム
Ｐａ    第１プリズム
Ｐｂ    第２プリズム
Ｔ      出射角調整部
Ｚ      中心角
１      光源
２      導光板
５      拡散板
６      第１レンズシート
７      第２レンズシート
１０ａ〜１０ｃ    バックライト
２０ａ〜２０ｃ    液晶表示パネル
３０ａ，３０ｂ    液晶表示装置
【図１】
2008292540.tif 000003
【図２】
2008292540.tif 000004
【図３】
2008292540.tif 000005
【図４】
2008292540.tif 000006
【図５】
2008292540.tif 000007
【図６】
2008292540.tif 000008
【図７】
2008292540.tif 000009
【図８】
2008292540.tif 000010
【図９】
2008292540.tif 000011
【図１０】
2008292540.tif 000012
【図１１】
2008292540.tif 000013
【図１２】
2008292540.tif 000014
【図１３】
2008292540.tif 000015
【図１４】
2008292540.tif 000016